(57)【特許請求の範囲】
【請求項１】
円筒形の発光管を保持する発光管保持具において、
発光管を支持する支持筒と、
該支持筒の一端側に形成されており、発光管の周面の複数箇所に当接して、該発光管を挟持する挟持部と
を備えることを特徴とする発光管保持具。
【請求項２】
前記支持筒の一端側は発光管の周面に倣う凹形状をなし、
前記挟持部は、
発光管の周面に当接する複数の当接部を前記支持筒の凹形状部分に備える
ことを特徴とする請求項１に記載の発光管保持具。
【請求項３】
前記挟持部は、
前記周面の３箇所に当接して、発光管を挟持するようにしてある
ことを特徴とする請求項１又は請求項２に記載の発光管保持具。
【請求項４】
前記支持筒は他端側が閉塞している
ことを特徴とする請求項１乃至請求項３のいずれか一つに記載の発光管保持具。
【請求項５】
前記支持筒は両端側夫々が閉塞している
ことを特徴とする請求項１乃至請求項３のいずれか一つに記載の発光管保持具。
【請求項６】
前記支持筒の内側に蓄熱部を備える
ことを特徴とする請求項１乃至請求項５のいずれか一つに記載の発光管保持具。
【請求項７】
請求項１乃至請求項６のいずれか一つに記載の発光管保持具と、
該発光管保持具に保持された発光管と、
孔部を形成した板部を有し、該板部に対向する方向へ開口した筐体と
を備え、
前記発光管保持具は、
前記孔部に挿嵌することで係止する係止部を他端側に備える
ことを特徴とする光源装置。
【発明の詳細な説明】
【技術分野】
【０００１】
本発明は、発光管を保持する発光管保持具、及び該発光管保持具によって保持された発光管を備える光源装置に関する。
【背景技術】
【０００２】
液晶テレビは、映像を表示する液晶パネルを備えており、液晶パネルの後側には該液晶パネルを照明するための光源装置が配されている。
光源装置は、ネオン、アルゴンの混合ガス、水銀等が封入された円筒形の複数の発光管、開口部を有する筐体、及び発光管を筐体内の所定箇所に保持する発光管保持具を備えている。発光管保持具は、筐体に立設されており、発光管を挟持している。
【０００３】
このように構成された光源装置においては、発光管で発生した熱が、発光管保持具から筐体へ伝導するため、点灯していた発光管が消灯した場合、発光管の発光管保持具に保持された部分の温度は、他の部分に比べてより早く低下する。従って、気化していた水銀ガスは、発光管保持具に保持された前記部分に液化して溜まる。
液化した水銀が偏って分布している発光管を再点灯させた場合、数分の間、発光輝度の低下又は輝度むらが生ずる虞がある。
【０００４】
発光管を再点灯した場合に生ずる発光輝度の低下及び輝度むらを防ぐために、発光管保持具の両端を保温部材で覆い、発光管を保持するように構成された発光管保持具が提案されている（例えば、特許文献１）。
【特許文献１】特開２０００−２１４４６１号公報
【発明の開示】
【発明が解決しようとする課題】
【０００５】
しかしながら、特許文献１に係る発光管保持具で保持された発光管が消灯した場合、発光管の発光管保持具に保持された部分の温度低下速度は、他の部分に比べて遅いため、気化していた水銀ガスが前記他の部分に液化して溜まる。
発光管の両端のみを保持する場合は特に問題ないが、液晶テレビ及び光源装置の大型化に伴って、より長い発光管を使用する場合、発光管の複数箇所を保持する必要があり、液化した水銀の偏りによる輝度むらが生ずる虞がある。
【０００６】
本発明は斯かる事情に鑑みてなされたものであり、発光管の周面の複数箇所に当接して、該発光管を挟持する挟持部を一端側に形成しており、発光管を支持する支持筒を備えることにより、発光管から発光管保持具へ伝導する熱量を減少させることができ、従来の発光管保持具に比べて、発光管の発光管保持具で支持されている部分と、他の部分との冷却特性をより近似させ、発光管の再点灯時の輝度むらを抑えることができる発光管保持具及び該発光管保持具を備えた光源装置を提供することを目的とする。
【０００７】
本発明の他の目的は、発光管の周面の３箇所に当接して、該発光管を挟持するように構成することにより、挟持部が４箇所以上当接している場合に比べて、発光管から発光管保持具へ伝導する熱量を減少させることができ、発光管の再点灯時の輝度むらをより効果的に抑えることができる発光管保持具及び該発光管保持具を備えた光源装置を提供することにある。
【０００８】
本発明の他の目的は、他端側が閉塞した支持筒を備えることにより、発光管の熱を支持筒内に蓄え、発光管消灯時に発光管から発光管保持具に伝導する熱による温度低下を支持筒内に蓄えた熱で抑えることができ、より効果的に発光管の再点灯時の輝度むらを抑えることができる発光管保持具及び該発光管保持具を備えた光源装置を提供することにある。
【０００９】
本発明の他の目的は、両端側が閉塞した支持筒を備えることにより、両端側が開口している場合に比べて、より効果的に発光管の熱を支持筒内に蓄えることができ、発光管の再点灯時の輝度むらを抑えることができる発光管保持具及び該発光管保持具を備えた光源装置を提供することにある。
【００１０】
本発明の他の目的は、支持筒の内側に蓄熱部を備えることにより、より効果的に発光管の熱を蓄えることができ、発光管の再点灯時の輝度むらを抑えることができる発光管保持具及び該発光管保持具を備えた光源装置を提供することにある。
【課題を解決するための手段】
【００１１】
本発明に係る発光管保持具は、円筒形の発光管を保持する発光管保持具において、発光管を支持する支持筒と、該支持筒の一端側に形成されており、発光管の周面の複数箇所に当接して、該発光管を挟持する挟持部とを備えることを特徴とする。
【００１２】
本発明に係る発光管保持具は、前記支持筒の一端側が発光管の周面に倣う凹形状をなし、前記挟持部は、発光管の周面に当接する複数の当接部を前記支持筒の凹形状部分に備えることを特徴とする。
【００１３】
本発明に係る発光管保持具は、前記挟持部は、前記周面の３箇所に当接して、発光管を挟持するようにしてあることを特徴とする。
【００１４】
本発明に係る発光管保持具は、前記支持筒は他端側が閉塞していることを特徴とする。
【００１５】
本発明に係る発光管保持具は、前記支持筒は両端側夫々が閉塞していることを特徴とする。
【００１６】
本発明に係る発光管保持具は、前記支持筒の内側に蓄熱部を備えることを特徴とする。
【００１７】
本発明に係る光源装置は、上述のいずれか一つの発光管保持具と、該発光管保持具に保持された発光管と、孔部を形成した板部を有し、該板部に対向する方向へ開口した筐体とを備え、前記発光管保持具は、前記孔部に挿嵌することで係止する係止部を他端側に備えることを特徴とする。
【００１８】
本発明にあっては、支持筒の一端側に形成された挟持部は、発光管の周面の複数箇所に当接して、該発光管を挟持するため、発光管の熱は、発光管の前記複数箇所から発光管保持具へ伝導する。
具体的には、支持筒の一端側は発光管の周面に倣う凹形状をなしており、挟持部は、支持筒の凹形状部分に備えられた複数の当接部にて発光管を挟持しているため、発光管の熱は、当接部から発光管保持具へ伝導する。
従って、発光管の全周を覆い、又は発光管の周面に面接触して、該発光管を挟持する場合に比べて、発光管から発光管保持具の支持筒へ伝導する熱量は小さく、発光管の発光管保持具に保持された部分と、他の部分との冷却特性が近似する。
また、支持筒は、発光管の熱を内部に蓄えることができるため、消灯した発光管の熱伝導による温度低下を抑えることができる。
【００１９】
本発明にあっては、支持筒の一端側に形成された挟持部は、発光管の周面の３箇所に当接して、該発光管を挟持するため、発光管の熱は、発光管の前記３箇所から発光管保持具へ伝導する。従って、発光管の４箇所以上で当接する場合に比べて、発光管から発光管保持具へ伝導する熱量は小さく、発光管の発光管保持具に保持された部分と、他の部分との冷却特性をより近似させることができる。
なお、発光管の２箇所に当接して、該発光管を挟持する場合、３箇所に当接して挟持する場合に比べて、発光管を安定して保持することができない。
【００２０】
本発明にあっては、支持筒の一端側は閉塞しているため、支持筒が開口している場合に比べて、発光管の熱をより多く支持筒の内部に蓄えることができる。従って、発光管が消灯した場合、発光管から発光管保持具へ伝導する熱量を、支持筒の内部に蓄えられた熱で補うことができ、発光管の発光管保持具に保持された部分と、他の部分との冷却特性をより近似させることができる。
【００２１】
本発明にあっては、支持筒の両端側は閉塞しているため、支持筒が開口している場合又は一方の端部のみが閉塞している場合に比べて、発光管の熱をより多く支持筒の内部に蓄えることができる。従って、発光管が消灯した場合、発光管から発光管保持具へ伝導する熱量を、支持筒の内部に保持された熱で補うことができ、発光管の発光管保持具に保持された部分と、他の部分との冷却特性をより近似させることができる。
【００２２】
本発明にあっては、支持筒の内側に蓄熱部を備えているため、発光管の熱は、支持筒の蓄熱部に蓄えられる。従って、発光管が消灯した場合、発光管から発光管保持具へ伝導する熱量を、蓄熱部に蓄えられた熱で補うことができ、発光管の発光管保持具に保持された部分と、他の部分との冷却特性をより近似させることができる。
【発明の効果】
【００２３】
本発明によれば、従来の発光管保持具に比べて、発光管から発光管保持具へ伝導する熱量を減少させることができ、発光管の発光管保持具で支持されている部分と、他の部分との冷却特性を近似させ、発光管の再点灯時の輝度むらを抑えることができる。
【００２４】
本発明によれば、挟持部が発光管の周面の４箇所以上に当接している場合に比べて、発光管から発光管保持具へ伝導する熱量を減少させることができ、発光管の再点灯時の輝度むらをより効果的に抑えることができる。
【００２５】
本発明によれば、両端側が開口している場合に比べて、より効果的に発光管の熱を支持筒内に蓄えることができ、発光管の再点灯時の輝度むらを抑えることができる。
【００２６】
本発明によれば、両端側又は一端側が開口している場合に比べて、より発光管の熱を支持筒内に蓄えることができ、発光管の再点灯時の輝度むらを抑えることができる。
【００２７】
本発明によれば、蓄熱部でより効果的に発光管の熱を蓄えることができ、発光管の再点灯時の輝度むらを抑えることができる。
【発明を実施するための最良の形態】
【００２８】
以下、本発明をその実施の形態を示す図面に基づいて詳述する。
（実施の形態１）
図１は、本発明の実施の形態１に係る光源装置の略示分解図、図２は光源装置が備える筺体の略示正面図である。
図中２は、開口を有する筐体であり、筐体２は、略矩形の板部２ａ、及び板部２ａに周設された４枚の側壁２ｂを備えている。
【００２９】
対向する２枚の側壁２ｂには、円筒形をなす複数の発光管３夫々の両電極端が嵌合する嵌合凹部が列設されており、各発光管３は、嵌合凹部に嵌合している。
【００３０】
板部２ａには発光管３に対向し、且つ発光管３の長手方向に適宜長離隔した部位に、発光管３を保持する発光管保持具１を係止するための複数の孔部２１が開けられている。
【００３１】
また、筐体２の板部２ａには、発光管３からの光を筐体２の開口側へ反射させる反射シート４が配設されている。反射シート４は一枚の合成樹脂シートからなり、孔部２１に対応する複数の反射シート孔を有している。
【００３２】
図３は、本発明の実施の形態に係る発光管保持具１の略示側断面図、図４及び図５は、発光管保持具１の略示側面図、図６は、発光管保持具１の略示平面図、図７は、発光管保持具１の略示底面図である。
【００３３】
発光管保持具１は、合成樹脂製であり、中央で凸状に曲成された部分を有する略矩形の支持板１０を備えている。支持板１０には、隣り合う２本の発光管３を夫々支持する２本の支持筒１２が、適宜長離隔して支持板１０を貫通するように両面に突設されている。
【００３４】
各支持筒１２は、第１乃至第４側面１２ａ，１２ｂ，１２ｃ，１２ｄを有する中空の四角柱であり、発光管３を支持するために、第３及び第４側面１２ｃ，１２ｄ間の距離が、発光管３の直径より長くなるように形成されている。また、支持筒１２の一端側は発光管３の周面に倣う凹形状をなしており、支持筒１２の一端側には挟持部１１が形成されている。
具体的には、支持筒１２の対向する第１及び第２側面１２ａ，１２ｂの一端は、発光管３の周面に倣う円弧状の凹部を形成しており、支持筒１２の第３側面１２ｃは、各凹部の一方の先端部に連続し、第４側面１２ｄも同様に各凹部の他方の先端部に連続するように形成されている。
【００３５】
第１側面１２ａ及び第２側面１２ｂに形成された凹部の一方の端部並びに第３側面１２ｃの一端には、第４側面１２ｄ側へ突出しており、発光管３の周面に当接する線状の第１当接部１１ａが形成されている。また、第１側面１２ａ及び第２側面１２ｂに形成された凹部の他方の端部並びに第４側面１２ｄの一端には、第３側面１２ｃ側へ突出しており、発光管３の周面に当接する線状の第２当接部１１ｂが形成されている。更に、凹部の中央部には、支持筒１２の開口を跨ぐように四角柱状の第３当接部１１ｃが形成されている。
【００３６】
支持筒１２の他端側には、筐体２の孔部２１に嵌入して係止する筒状の係止筒部１３が形成されている。
【００３７】
このように構成された光源装置は、主として液晶表示装置の光源として使用される。液晶表示装置は、略直方体の液晶パネル、該液晶パネルの裏側に配置された光源装置、液晶パネルの周縁部を取り囲む四角形をなすフロントキャビネット、及び光源装置を覆うバックキャビネットとを備える。
【００３８】
このように構成された発光管保持具１にあっては、挟持部１１が発光管３の周面の３箇所に当接して、発光管３を挟持するため、発光管３から発光管保持具１及び筐体２へ伝導する熱量を減少させることができ、発光管３の発光管保持具１に保持された部分と、他の部分との冷却特性を近似させることができる。
従って、点灯した発光管３を消灯した場合に、気化した水銀が発光管３内で偏って液化する虞はなく、発光管３の輝度むらを防ぐことができる。
【００３９】
なお、発光管保持具は一対の支持筒を備え、隣合う２本の発光管を保持する構成としてあるが、１本の支持筒を備え、一本の発光管を保持する構成としても良い。
【００４０】
また、発光管の周面の３箇所に当接することで発光管を挟持するように構成してあるが、発光管を安定して挟持することができるのであれば、周面の２箇所に当接することで発光管を挟持するように構成しても良い。
【００４１】
更に、発光管の周面の３箇所に当接することで発光管を挟持するように構成してあるが、周面の４箇所以上に当接することで発光管を挟持するように構成しても良い。
但し、当接箇所が多くなればなるほど、発光管の発光管保持具に保持される部分と、他の部分との冷却特定の差が大きくなるため、当接箇所が少ない方がより好ましい。
【００４２】
更にまた、中空の四角柱状の支持筒を説明したが、支持筒の形状はこれに限定されない。例えば、円筒状の支持筒を備えても良い。
【００４３】
（実施の形態２）
図８は、本発明の実施の形態２に係る発光管保持具２０１の略示側断面図である。
実施の形態２に係る発光管保持具２０１は、支持筒２１２の構成が実施の形態１とは異なるため、以下では主に上述の相違点について説明する。
【００４４】
実施の形態２に係る支持筒２１２は、係止筒部２１３を形成した他端側を閉塞する閉塞部２１２ｅを形成している。
実施の形態２に係る発光管保持具２０１及び発光管保持具２０１を備えた光源装置の他の構成、作用及び効果は、実施の形態１に係る発光管保持具１及び光源装置の構成、作用及び効果と同様であるため、対応する箇所には同様の符号を付して詳細な説明を省略する。
【００４５】
実施の形態２に係る発光管保持具２０１にあっては、実施の形態１に係る発光管保持具１に比べて、より効果的に発光管３の熱を支持筒２１２内に蓄えることができるため、発光管３の発光管保持具２０１に保持された部分と、他の部分との冷却特性をより近似させることができ、発光管３の再点灯時の輝度むらを抑えることができる。
【００４６】
（実施の形態３）
図９は、本発明の実施の形態３に係る発光管保持具３０１の略示側断面図である。
実施の形態３に係る発光管保持具３０１は、支持筒３１２の構成が実施の形態１とは異なるため、以下では主に上述の相違点について説明する。
【００４７】
実施の形態３に係る支持筒３１２の両端側夫々には、支持筒３１２を閉塞する閉塞部３１２ｅ，３１２ｆが形成されている。
実施の形態３に係る発光管保持具３０１及び発光管保持具３０１を備えた光源装置の他の構成、作用及び効果は、実施の形態１に係る発光管保持具１及び光源装置の構成、作用及び効果と同様であるため、対応する箇所には同様の符号を付して詳細な説明を省略する。
【００４８】
実施の形態３に係る発光管保持具３０１にあっては、両端側又は一端側が開口している場合に比べて、より発光管３の熱を支持筒３１２内に蓄えることができるため、発光管３の発光管保持具３０１に保持された部分と、他の部分との冷却特性をより近似させることができ、発光管３の再点灯時の輝度むらを抑えることができる。
【００４９】
（実施の形態４）
図１０は、本発明の実施の形態４に係る発光管保持具４０１の略示側断面図である。
実施の形態４に係る発光管保持具４０１は、支持筒１２の係止筒部１３側の構成が実施の形態１とは異なるため、以下では主に上述の相違点について説明する。
【００５０】
実施の形態４に係る発光管保持具４０１は、発光管３で発生した熱を蓄熱する蓄熱部材５を支持筒１２の内部に装入してある。
実施の形態４に係る発光管保持具４０１及び発光管保持具４０１を備えた光源装置の他の構成、作用及び効果は、実施の形態１に係る発光管保持具１及び光源装置の構成、作用及び効果と同様であるため、対応する箇所には同様の符号を付して詳細な説明を省略する。
【００５１】
実施の形態４に係る発光管保持具４０１にあっては、蓄熱部材５でより効果的に発光管３の熱を蓄えることができるため、発光管３の発光管保持具４０１に保持された部分と、他の部分との冷却特性をより近似させることができ、発光管３の再点灯時の輝度むらを抑えることができる。
【図面の簡単な説明】
【００５２】
【図１】本発明の実施の形態１に係る光源装置の略示分解図である。
【図２】光源装置が備える筺体の略示正面図である。
【図３】本発明の実施の形態に係る発光管保持具の略示側断面図である。
【図４】発光管保持具の略示側面図である。
【図５】発光管保持具の略示側面図である。
【図６】発光管保持具の略示平面図である。
【図７】発光管保持具の略示底面図である。
【図８】本発明の実施の形態２に係る発光管保持具の略示側断面図である。
【図９】本発明の実施の形態３に係る発光管保持具の略示側断面図である。
【図１０】本発明の実施の形態４に係る発光管保持具の略示側断面図である。
【符号の説明】
【００５３】
１  発光管保持具
２  筐体
２ａ  板部
２ｂ  側壁
３  発光管
４  反射シート
５  蓄熱部材
１０  支持板
１１  挟持部
１１ａ，１１ｂ，１１ｃ  当接部
１２  支持筒
１２ａ，１２ｂ  第１及び第２側面
１２ｃ，１２ｄ  第３及び第４側面
１３  係止筒部
２１  孔部
【図１】
0004393464.tif 000002
【図２】
0004393464.tif 000003
【図３】
0004393464.tif 000004
【図４】
0004393464.tif 000005
【図５】
0004393464.tif 000006
【図６】
0004393464.tif 000007
【図７】
0004393464.tif 000008
【図８】
0004393464.tif 000009
【図９】
0004393464.tif 000010
【図１０】
0004393464.tif 000011